(57)【要約】      （修正有）【課題】温度センサを用いてモグサスティックの燃焼をセンシングし、温度が低い場合、ステッピングモーターを制御してモグサスティックを下向きに移動し温度を一定に保つ、インテリジェント温灸器を提供する。【解決手段】鉛直に設けたバレル１と、モグサスティック駆動ユニットを設けたバレルと係合する灰受け台２と、インテリジェント制御ユニットとを含み、モグサスティック駆動ユニットは、モグサスティックスリーブと、モグサスティックスリーブの上方に設けたステッピングモーター４とを含み、ステッピングモーターは、ギア伝動により、モグサスティックを上下に動かし、インテリジェント制御ユニットは、ステッピングモーターの上方に設けた、温灸器に給電する電池６と、電池の上方に固定した回路基板７と、灰受け台内に設けた温度センサとを含み、電池は回路基板に接続され、温度センサに接続した回路基板に電力を供給する構成とする。【選択図】図１
2019098137.tif 000002
【特許請求の範囲】
【請求項１】
鉛直に設けられたバレルと、バレルと係合する灰受け台とを含むインテリジェント温灸器であって、バレルに設けられたモグサスティック駆動ユニット及びインテリジェント制御ユニットをさらに含み、前記モグサスティック駆動ユニットは、モグサスティックスリーブと、モグサスティックスリーブの上方に設けられたステッピングモーターとを含み、前記ステッピングモーターは、ギア伝動によって、モグサスティックを上下移動するように動かし、前記インテリジェント制御ユニットは、ステッピングモーターの上方に設けられた、温灸器全体に給電する電池と、電池の上方に固定された回路基板と、灰受け台内に設けられた温度センサとを含み、前記電池は回路基板に接続され、回路基板に電力を供給し、回路基板は入出力端によって温度センサに接続され、温灸燃焼による温灸器の下方の温度信号を受信して分析する、ことを特徴とするインテリジェント温灸器。
【請求項２】
前記灰受け台は、その中心位置に設けられた細目フィルタと、細目フィルタの上面に均一に設けられた長尺状の支持台と、長尺状の支持台に設けられた抵抗加熱線とを含み、抵抗加熱線はモグサスティックの真下に設けられ、前記灰受け台の外壁には、モグサスティックを十分に燃焼させるのを保証するための空気流通孔が設けられている、ことを特徴とする請求項１に記載のインテリジェント温灸器。
【請求項３】
前記ステッピングモーターの出力軸にギアラック機構が連結され、前記ラック機構のラックは、その自由度を制限するモータ固定台内に取り付けられ、前記ラックのストローク範囲の両端にはラックの位置を制限するリミットスイッチが設けられている、ことを特徴とする請求項２に記載のインテリジェント温灸器。
【請求項４】
前記モグサスティックスリーブは、モータ固定台の下方に固定された固定筒と、固定筒内に外挿する上下移動可能なモグサスティック台座とを含み、固定筒の側壁には、モグサスティック台座が上下移動する溝が予め設置されており、前記モグサスティック台座の側壁には係合爪が垂直に設けられ、モグサスティック台座は、固定筒の側壁における溝を貫通する係合爪によって、ラックの下端に連結され、ステッピングモーターは、出力軸の伝動によってラックを上下移動するように動かすことで、モグサスティック台座によってモグサスティックを上下移動するように動かす、ことを特徴とする請求項３に記載のインテリジェント温灸器。
【請求項５】
前記バレルのトップには温灸器全体の作動と停止を制御する電源キーが設けられている、ことを特徴とする請求項４に記載のインテリジェント温灸器。
【請求項６】
前記回路基板は、主制御回路、リミットスイッチ回路、点火回路、温度検出回路、ワンキー運転／停止回路及びキー状態検出回路、充電回路、モータ正逆転回路を含み、前記主制御回路は、入出力インターフェースを介してリミットスイッチ回路、点火回路、温度検出回路、ワンキー運転／停止回路及びキー状態検出回路、モータ正逆転回路にそれぞれ接続され、前記充電回路は、入力端が外部電源に接続され、出力端がワンキー運転／停止回路及びキー状態検出回路に接続され、装置に電力を供給し、前記充電回路の出力端は同時に電池に接続され、電池を充電し、前記リミットスイッチ回路の入力端はリミットスイッチに接続され、ラックの上下位置を制限し、ラックがギアから外れるのを防止し、前記温度検出回路の入力端は温度センサに接続され、温度センサで測定された温度信号を受信し、前記モータ正逆転回路はステッピングモーターに接続され、ステッピングモーターの正転と逆転を制御し、前記点火回路は抵抗加熱線に接続され、モグサスティックを点火させ、前記ワンキー運転／停止回路及びキー状態検出回路は入力端によって電源キーに接続され、長押しすると点火させ、短く押すと運転／停止を行う機能を実現する、ことを特徴とする請求項５に記載のインテリジェント温灸器。
【請求項７】
前記細目フィルタの外縁にはネジ受けが設けられ、温度センサをネジ受けによって灰受け台内に固定する、ことを特徴とする請求項１に記載のインテリジェント温灸器。
【請求項８】
前記回路基板の側には電池残量を表示するためのＬＥＤ表示灯が設けられ、バレルの電源キーに近い位置に透孔が設けられ、前記ＬＥＤ表示灯は、並列に接続されたブルーライト回路とレッドライト回路を含み、前記ブルーライト回路と前記レッドライト回路との間に「ОＲ」スイッチが設けられることで、満充電の場合、ブルーライト回路がオンにされ、残量が１０％未満の場合、レッドライト回路がオンにされることを実現する、ことを特徴とする請求項７に記載のインテリジェント温灸器。
【請求項９】
前記灰受け台と上部のバレルとが連結される側は、ヒンジによってヒンジ連結され、その反対側はスナップ連結され、そしてその係合箇所には分離キーが設けられている、ことを特徴とする請求項１に記載のインテリジェント温灸器。
【請求項１０】
前記バレルは、ベークライト材製であり、抵抗加熱線の周りにはセラミックス製断熱材が設けられている、ことを特徴とする請求項１乃至９のうちいずれか一項に記載のインテリジェント温灸器。
【発明の詳細な説明】
【技術分野】
【０００１】
本発明は、温灸器の技術分野に関し、特に、制御システム及び自動伝送装置によって、治療の全過程に手動操作を必要とせず、操作のインテリジェント化を図るインテリジェント温灸器に関する。
【背景技術】
【０００２】
温灸は、燃焼したモグサスティックを人体から一定の距離を置いて経穴に対して灸治療を施す漢方療法である。温灸は中国の古代に誕生したものであり、ヨモギの葉から作製された温灸材料から発生した熱で、人体表面の経穴又は特定した部位を刺激し、経絡の気を運動させることで人体の生理機能と生化学機能の乱れを調整することにより、病気の予防治療の目的を達成する治療方法である。
【０００３】
温灸療法の発展につれ、温灸器が必要に応じて誕生し、温灸器は、手足の任意部位に固定されることができ、灸治療を受ける人が、ヨモギ粒子と皮膚との距離を自由に調整可能な器具である。ヨモギ粒子（モグサスティック）はしっかりと密閉した温灸器内に燃焼する時に発生した熱は拡散しにくく、長時間にわたって経穴に作用し、火力が安定し、強力に浸透し、絶え間なく作用する。器具は治療中にヨモギの葉の燃焼時に発生した熱効果、薬効力、スモーク等の有効成分を十分に生かして経穴や経絡を刺激し、熱効果、薬効力、スモークの３つの効果をまとめることで、従来の温灸の治療効果を向上させる。従来の温灸器は、モグサスティック、紙製ハウジング、針又は磁石と紙製ハウジングとからなる上蓋、手に貼り付けられる両面粘着テープを組み合わせてなる構造である。モグサスティックを手動で直火によって燃やしてから、モグサスティックを上蓋の針に挿入し、上蓋をボックス本体に挿入し、ステッカーによって皮膚に粘着させ、温灸治療を開始する。しかし、この製品は以下の問題がある。第一に、直火は危険性が高い。第二に、モグサスティックが燃焼し続けると、皮膚に伝達する温度がだんだん低下し、この場合、該製品はモグサスティックの深さを人が調整する必要があり、且つ深さを数値化することができず、効果が不均一である。第三に、紙製ハウジングを使うと、モグサスティックによる高温温灸をする中、発火して火災になる可能性がある。第四に、モグサスティックの燃焼中に発生した灰が皮膚に落ちると、皮膚が火傷しやすい。
【発明の概要】
【発明が解決しようとする課題】
【０００４】
従来技術の不足に対して、本発明の目的は、上記背景技術に提示された問題を解決するようにインテリジェント温灸器を提供することにあり、本発明は、制御システム及び自動伝送装置によって、治療の全過程に手動操作を必要とせず、操作のインテリジェント化を図る。
【課題を解決するための手段】
【０００５】
上記問題を解決するために、本発明において、インテリジェント温灸器であって、鉛直に設けられたバレルと、バレルと係合する灰受け台と、バレルに設けられたモグサスティック駆動ユニット及びインテリジェント制御ユニットとを含み、前記モグサスティック駆動ユニットは、モグサスティックスリーブと、モグサスティックスリーブの上方に設けられたステッピングモーターとを含み、前記ステッピングモーターは、ギア伝動によって、モグサスティックを上下移動するように動かし、前記インテリジェント制御ユニットは、ステッピングモーターの上方に設けられた、温灸器全体に給電する電池と、電池の上方に固定された回路基板と、灰受け台内に設けられた温度センサとを含み、前記電池は回路基板に接続され、回路基板に電力を供給し、回路基板は入出力端によって温度センサに接続され、温灸燃焼による温灸器の下方の温度信号を受信して分析するインテリジェント温灸器が提供される。
【０００６】
さらに、前記灰受け台は、その中心位置に設けられた細目フィルタと、細目フィルタの上面に均一に設けられた長尺状の支持台と、長尺状の支持台に設けられた抵抗加熱線とを含み、前記抵抗加熱線はモグサスティックの真下に設けられ、前記灰受け台の外壁には、モグサスティックを十分に燃焼させるのを保証するための空気流通孔が設けられている。
【０００７】
さらに、前記細目フィルタの外縁にはネジ孔が設けられ、温度センサをネジ孔によって灰受け台内に固定する。
【０００８】
さらに、前記ステッピングモーターの出力軸にギアラック機構が連結され、前記ラック機構のラックは、その自由度を制限するモータ固定台内に取り付けられ、前記ラックのストローク範囲の両端にはラックの位置を制限するリミットスイッチが設けられている。
【０００９】
さらに、前記モグサスティックスリーブは、モータ固定台の下方に固定された固定筒と、固定筒内に外挿する上下移動可能なモグサスティック台座とを含み、固定筒の側壁には、モグサスティック台座が上下移動する溝が予め設置されており、前記モグサスティック台座の側壁には係合爪が垂直に設けられ、前記モグサスティック台座は、固定筒の側壁における溝を貫通する係合爪によって、ラックの下端に連結され、ステッピングモーターは、出力軸の伝動によってラックを上下移動するように動かすことで、モグサスティック台座によってモグサスティックを上下移動するように動かす。
【００１０】
さらに、前記バレルのトップには温灸器全体の作動と停止を制御する電源キーが設けられている。
【００１１】
さらに、前記回路基板は、主制御回路、リミットスイッチ回路、点火回路、温度検出回路、ワンキー運転／停止回路及びキー状態検出回路、充電回路、モータ正逆転回路を含み、前記主制御回路は、入出力インターフェースを介してリミットスイッチ回路、点火回路、温度検出回路、ワンキー運転／停止回路及びキー状態検出回路、モータ正逆転回路にそれぞれ接続され、前記充電回路は、入力端が外部電源に接続され、出力端がワンキー運転／停止回路及びキー状態検出回路に接続され、装置に電力を供給し、前記充電回路の出力端は同時に電池に接続され、電池を充電し、前記リミットスイッチ回路の入力端はリミットスイッチに接続され、ラックの上下位置を制限し、ラックがギアから外れるのを防止し、前記温度検出回路の入力端は温度センサに接続され、温度センサで測定された温度信号を受信し、前記モータ正逆転回路はステッピングモーターに接続され、ステッピングモーターの正転と逆転を制御し、前記点火回路は抵抗加熱線に接続され、モグサスティックを点火させ、前記ワンキー運転／停止回路及びキー状態検出回路は入力端によって電源キーに接続され、長押しすると点火させ、短く押すと運転／停止を行う機能を実現する。
【００１２】
より具体的には、前記主制御回路は、ＳＴＭ８Ｓ００３モデル番号のメインチップを用い、２０個の入出力ポートを含み、ポートＰＤ３が温度検出回路に接続され、ポートＰＤ２が点火回路に接続され、ポートＰＢ４及びポートＰＢ５がリミットスイッチ回路に接続される。
【００１３】
前記充電回路はワンキー運転／停止回路及びキー状態検出回路に接続され、前記充電回路におけるＬＥＤ表示灯はブルーとレッドの２色を表示することで、電池の充電状態を表示し、満充電の場合、ブルーであり、電力が１０％未満の場合、レッドである。
【００１４】
前記メインチップのポートＰＣ６及びポートＰＣ７がワンキー運転／停止回路及びキー状態検出回路に接続され、短く押すとパワーオン・シャットダウンを行い、長押しすると点火させる。前記メインチップのポートＰＣ３及びポートＰＣ４がモータ正逆転回路に接続され、モータの正転と逆転を制御することで、モグサスティックの昇降を実現する。
【００１５】
より具体的には、前記バレルは、ベークライト材製であり、耐熱性を有し、高温で発火して火災になるリスクを回避し、抵抗加熱線の周りはセラミックスによって断熱され、使用者が火傷する危険を回避する。
【発明の効果】
【００１６】
本発明の作動原理及び有益な効果は以下の通りである。１、本発明では、モグサスティックの加熱過程は製品の内部にて行われ、モグサスティック全体を製品内に投入し、抵抗線によって内部で加熱して燃焼させ、直火がなく、抵抗加熱線の周りはセラミックスによって断熱される。
【００１７】
２、本発明は、温度センサを用いてモグサスティックの燃焼様子をセンシングし、温度が設定された値よりも低い場合、センサは信号を回路基板に送信し、回路基板は、ステッピングモーターを制御して機械伝動によってモグサスティックを下向きに移動するようにプッシュし、そのうえ、温度を一定に保つ。
【００１８】
３、本発明の製品はベークライト材製のハウジングを使い、ベークライトは耐熱性を有する加工しやすいフェノールプラスチックであり、発火して火災になる可能性が極めて低い。
【００１９】
４、本発明は、灰受け台が２層設けられ、モグサスティックが燃焼した灰が皮膚に落ちないように保証し、１層目は抵抗加熱線であり、２層目は抵抗加熱線の孔とずれて設けられた灰受け台である。灰落ちがないとともに、熱伝達を妨害しない。
【００２０】
５、本発明は、使用体験面において、トップにあるキースイッチを押せば、すべての作業が自動的に完成され、手仕事を省略してワンキーで完成し、温灸がよりインテリジェントで合理的であり、使用中に発火して火災になることや、使用フローが複雑である問題を解決する。
【図面の簡単な説明】
【００２１】
【図１】本発明の構造を示す分解図である。
【図２】本発明の構造の一部を示す分解図である。
【図３】本発明の灰受け台が抵抗加熱線を含む構造を示す図である。
【図４】本発明のモグサスティック台座の構造を示す図である。
【図５】本発明のインテリジェント制御ユニットの構造原理図である。
【図６】本発明の主制御回路の構造図である。
【図７】本発明のリミットスイッチ回路の構造図である。
【図８】本発明の点火回路の構造図である。
【図９】本発明の温度検出回路の構造図である。
【図１０】本発明の充電回路の構造図である。
【図１１】本発明のワンキー運転／停止構造図である。
【図１２】本発明のモータ正逆転構造図である。
【符号の説明】
【００２２】
１…バレル、２…灰受け台、２１…細目フィルタ、２２…長尺状の支持台、２３…抵抗加熱線、２４…ボス、２５…セラミックス製断熱材、２６…空気流通孔、３…モグサスティックスリーブ、３１…固定筒、３２…モグサスティック台座、３３…固定針、３４…係合爪、３５…溝、４…ステッピングモーター、４１…ギア、４２…ラック、４３…連結軸、５…モータ固定台、６…電池、７…回路基板、７８…リミットスイッチ、８…ＬＥＤ表示灯、９…電源キー、１０…モグサスティック、１１…電池固定台、１２…透孔、１３…ヒンジ、１４…ネジ受け、１５…分離キー。
【発明を実施するための形態】
【００２３】
本発明を実現するための技術的手段、発想特徴、達成しようとする目標及び効果を理解しやすくするために、以下、具体的な実施形態を結合して本発明をさらに説明する。ここに説明される具体的な実施例は本発明を解釈するためのものに過ぎず、本発明を限定することは意図していない。
【００２４】
図１及び図２を参照し、本発明の実施例においてインテリジェント温灸器が提供され、モグサスティックを皮膚から１０〜１５ｍｍの有効距離を離すようにインテリジェントに燃焼させ、温灸効果を最大限に向上させ、市販された温灸装置は温灸燃焼するにつれ、皮膚からの距離が増大し、最高の温灸効果を成し遂げることができない問題を解決する。本実施例では、燃焼時に直火を使わない。主として以下の構成を含む。インテリジェント温灸器は、鉛直に設けられたバレル１と、バレル１と係合する灰受け台２と、バレル１に設けられたモグサスティック駆動ユニット及びインテリジェント制御ユニットと、を含む。
【００２５】
図３に示すように、前記灰受け台２は、その中心位置に設けられた細目フィルタ２１と、細目フィルタ２１の上面に均一に設けられた長尺状の支持台２２と、長尺状の支持台２２に設けられた抵抗加熱線２３とを含み、前記抵抗加熱線２３は、モグサスティックの真下に設けられ、前記細目フィルタ２１は円形構造であり、長尺状の支持台２２は、細目フィルタ２１の直径方向に沿って３本設けられ、それぞれの長尺状の支持台２２は、円心位置近くにボス２４が設けられ、抵抗加熱線２３がボス２４に固定され、且つ抵抗加熱線２３の上面が長尺状の支持台の上面と平行である。
【００２６】
使用者が火傷するのを防止するように、前記抵抗加熱線２３の周りにはセラミックス製断熱材２５が設けられている。
【００２７】
前記灰受け台２の外壁には、モグサスティックを十分に燃焼させるのを保証するための空気流通孔２６が設けられている。
【００２８】
図２に示すように、前記モグサスティック駆動ユニットは、モグサスティックスリーブ３と、モグサスティックスリーブ３の上方に設けられたステッピングモーター４とを含み、前記ステッピングモーター４は、ギア伝動によってモグサスティックを上下移動するように動かす。前記モグサスティックスリーブは、固定筒３１と、固定筒３１内に外挿する上下移動可能なモグサスティック台座３２とを含み、モグサスティック台座内には固定針３３が鉛直に設けられ、モグサスティックを固定針３３に挿入することができ、モグサスティック台座の側壁には係合爪３４が垂直に設けられ、固定筒３１の側壁には、モグサスティック台座が上下移動する溝３５が予め設置されている。前記ステッピングモーター４の出力軸端にギア４１が設けられ、ギア４１にラック４２が噛み合い、ラック４２の下端には連結軸４３が垂直に設けられ、連結軸４３は、固定筒３１の側壁における溝３５を貫通する係合爪３４に固定連結され、ステッピングモーター４は、出力軸の伝動によってラック４２を上下移動するように動かすことで、モグサスティック台座３２によってモグサスティックを上下移動するように動かす。前記ワンキー運転／停止回路及びキー状態検出回路は、出力端によって電源キーに接続され、これにより、長押しすると点火させ、短く押すと運転／停止を行う機能を実現する。
【００２９】
図４に示すように、より具体的には、前記モグサスティック台座３２の側面は透かし彫りを施した円筒形構造であり、モグサスティック台座３２の底面には固定針が設けられている。
【００３０】
本発明の好適な技術案として、前記ステッピングモーターのラック機構におけるラックは、その自由度を制限するモータ固定台５内に取り付けられ、前記ラック４２のストローク範囲の両端には、ラック位置を制限するリミットスイッチ７８が設けられている。
【００３１】
図２に示すように、前記インテリジェント制御ユニットは、ステッピングモーター４の上方に設けられた、温灸器全体に給電する電池６と、電池６の上方に固定された回路基板７と、灰受け台２内に設けられた温度センサとを含み、前記電池６は回路基板７に接続され、回路基板７に電力を供給し、回路基板７は入出力端によって温度センサに接続され、温灸燃焼による温灸器の下方の温度信号を受信して分析する。
【００３２】
図１、図１０に示すように、本発明の好適な技術案として、前記電池７は電池固定台１１内に固定され、前記回路基板７は電池固定台１１の上方に固定され、回路基板の側には電池残量を表示するためのＬＥＤ表示灯８が設けられ、バレルの電源キー９に近い位置に透孔１２が設けられ、前記ＬＥＤ表示灯８は透孔１２に対して光を発光させ、前記ＬＥＤ表示灯８は、並列に接続されたブルーライト回路とレッドライト回路を含み、前記ブルーライト回路と前記レッドライト回路との間に「ОＲ」スイッチが設けられることで、満充電の場合、ブルーライト回路がオンにされ、残量が１０％未満の場合、レッドライト回路がオンにされることを実現する。
【００３３】
より具体的には、バレル１において、透孔１２の下方には、電池７を充電するためのＵＳＢ充電インターフェース（未図示）が設けられている。
【００３４】
モータ固定台５と電池固定台１１とを係合することができ、これにより、空間を節約するとともに、内部構造を安定化する働きを担う。
【００３５】
図３、図５に示すように、前記回路基板は、主制御回路、リミットスイッチ回路、点火回路、温度検出回路、ワンキー運転／停止回路及びキー状態検出回路、充電回路、モータ正逆転回路を含む。前記主制御回路は、入出力インターフェースを介してリミットスイッチ回路、点火回路、温度検出回路、ワンキー運転／停止回路及びキー状態検出回路、モータ正逆転回路にそれぞれ接続される。前記充電回路は、入力端が外部電源に接続され、出力端がワンキー運転／停止回路及びキー状態検出回路に接続され、装置に電力を供給し、前記充電回路の出力端は同時に電池に接続され、電池を充電する。前記リミットスイッチ回路の入力端がリミットスイッチに接続され、ラックの上下位置を制限し、ラック４２がギア４１から外れるのを防止する。
【００３６】
前記温度検出回路の入力端が温度センサに接続され、温度センサで測定された温度信号を受信する。前記温度センサはサーミスタを用い、温度測定精度が高く、長寿命化する。
【００３７】
前記温度センサは、灰受け台に位置するネジ受けによって灰受け台に固定される。
【００３８】
前記モータ正逆転回路はステッピングモーター４に接続され、ステッピングモーター４の正転と逆転を制御する。前記点火回路は抵抗加熱線２３に接続され、モグサスティックを点火させる。前記ワンキー運転／停止回路及びキー状態検出回路は入力端によって電源キー９に接続され、長押しすると点火させ、短く押すと運転／停止を行う機能を実現する。
【００３９】
図６に示すように、本発明では、より具体的には、前記主制御回路は、ＳＴＭ８Ｓ００３モデル番号のメインチップを用い、２０個の入出力ポートを含み、前記主制御回路は主として信号の受信や処理を行い、制御信号を送信する。
【００４０】
図７に示すように、前記リミットスイッチ回路は、２つのリミットスイッチを含み、一方のリミットスイッチの２つの接触子が接触すると、メインチップがＰＢ４(又はＰＢ５)によってリミットスイッチからの閉成信号を受け取り、ラックがストロークに到達し、メインチップはＰＣ４及びＰＣ５の双方によってモータを制御し、対応するモータ停止を示す信号を発する。メインチップは、制御用ＰＣ４及びＰＣ５のピンに異なるレベルを提供することにより、モータの正逆転や停止を実現することができる。
【００４１】
図８、図１１に示すように、前記メインチップは、電圧検出ポートＰＣ６及び電圧制御ポートＰＣ７を介してワンキー運転／停止回路及びキー状態検出回路に接続され、前記メインチップはポートＰＤ２を介して点火回路に接続される。パワーオンの時に、主制御回路は、ＰＣ６のレベル変化を検出することで、キーＳ１が押されたか否かを判断し、ＰＣ６のレベルがローレベルである場合、キーが押されたと判断され、この場合、対応する処理を行い、短く押したと判断されれば、プロセッサはＰＣ７のピンをローレベルを出力するように制御し、電源スイッチをオフにし、シャットダウンを実現し、長押ししたと判断されれば、プロセッサはＰＤ２のピンをハイレベルを出力するように制御し、点火回路をオンにして点火機能を実現し、即ち、長押しで点火させる。
【００４２】
パワーオンの場合、短く押すことでパワーオンを実現し、電源を入れた後、メインチップはＰＣ７のピンをハイレベルを出力するように制御し、電源キーがセルフロックし、これにより、電源通路をロックアップし、パワーオンを実現する。
【００４３】
図９、図１２に示すように、メインチップは、ポートＰＤ３を介して温度検出回路に接続され、前記メインチップのポートＰＣ３及びポートＰＣ４はモータ正逆転回路に接続され、モータの正転と逆転を制御することで、モグサスティックの昇降を実現する。ＰＤ３によって温度情報を取得し、温度の変化状況を把握し、温度が高すぎると、モグサスティックから皮膚の表面までの距離を増大するようにモータを逆転させ、これにより、モグサスティックから皮膚に伝達する温度を安定させるまで温度を下げ、逆の場合も、また同様とする。
【００４４】
図１０に示すように、前記充電回路は電源チップＴＰ４０５７を含み、前記充電回路はＢＡＴ出力端によってワンキー運転／停止回路及びキー状態検出回路に接続され、充電回路におけるＬＥＤ表示灯は、ブルーとレッドの２色を表示することで、電池の充電状態を表示し、満充電の場合、ブルーであり、電力が１０％未満の場合、レッドである。
【００４５】
本発明の好適な技術案として、前記灰受け台２と上部のバレル１とが連結される側は、ヒンジ１３によってヒンジ連結され、その反対側はスナップ連結され、そしてその係合箇所には分離キー１５が設けられている。上述のように連結することで、灰受け台がなくなるのを防止し、ネジ連結に比べ、より便利ですばやく連結できる。
【００４６】
本発明の作動原理は以下の通りである。分離キーによって灰受け台を開き、モグサスティックをモグサスティック台座に置き、灰受け台を閉じ、温灸器を両面粘着テープによって温灸部位に固定し、トップにある電源キーを押すことで、回路基板起動プログラムが実行され、抵抗線によってモグサスティックが加熱される。モグサスティックが燃焼するにつれ、温度が温度センサの温度よりも低い場合、温度センサは信号を回路基板に送信し、回路基板はステッピングモーターを駆動し、ギアの機械伝動によってモグサスティックを下降させ、温度を一定に保つ。
【００４７】
以上は、本発明の好適な実施例に過ぎず、その構造は以上挙げられた形状には限定されず、本発明の思想や原則内の如何なる修正、均等の置き換え、改良なども、すべて本発明の保護範囲内に含まれるべきである。
【図１】
2019098137.tif 000003
【図２】
2019098137.tif 000004
【図３】
2019098137.tif 000005
【図４】
2019098137.tif 000006
【図５】
2019098137.tif 000007
【図６】
2019098137.tif 000008
【図７】
2019098137.tif 000009
【図８】
2019098137.tif 000010
【図９】
2019098137.tif 000011
【図１０】
2019098137.tif 000012
【図１１】
2019098137.tif 000013
【図１２】
2019098137.tif 000014